(57)【要約】【課題】訪問者の録画及び伝言録音を行うテレビドアホン装置では、訪問者が伝言を残したいときだけ、伝言を記録することができず、自動録音・録画動作による不要な録音で録音メモリを浪費や、玄関子機に伝言録音用の特別なボタンを備える必要があった。【解決手段】玄関子機１０１と室内親機１０２との間で通信線を介して通話と映像モニター表示が可能なテレビドアホン装置１００において、玄関子機１０１は、訪問者が、呼出ボタン１０５を押下後、再度、呼出ボタン１０５を再押下すると、伝言録音要求信号生成部１０６では伝言録音要求信号を生成して、室内親機１０２に送信し、室内親機１０２は、玄関子機１０１から伝言録音要求信号を受信して、伝言録音要求検出部１２９で伝言録音要求を検出し、訪問者の伝言の録音を開始する。【選択図】図１
2007166477.tif 000002
【特許請求の範囲】
【請求項１】
玄関子機と室内親機との間で通信線を介して通話と映像モニター表示が可能なテレビドアホン装置であって、
前記室内親機が利用者による「留守設定」されている場合に、
前記室内親機は、訪問者による前記玄関子機の呼出ボタンの押下を検知して「呼出ボタンの再押下」のメッセージを訪問者に通知し、
前記玄関子機は、訪問者の前記呼出ボタンの再押下動作に基づいて、伝言録音要求信号生成部で、伝言録音要求信号を生成して、カメラの映像信号とマイクからの音声信号と共に室内親機に送信し、
前記室内親機は、前記伝言録音要求信号を伝言録音要求検出部で検出して、制御部で、音声録音部、若くは、映像録画部を動作させ、前記玄関子機から送られてきた映像信号もしくは音声信号を記録することを特徴とするテレビドアホン装置。
【請求項２】
前記伝言録音要求信号生成部は、所定の周波数の変調信号を発生させる変調信号発生部と、前記カメラからの映像信号のブランキング区間を検出するブランキング区間検出部と、
前記変調信号を前記ブランキング区間内で、所定時間幅をドロップアウト区間として、０［Ｖ］の直流信号とする補正により前記伝言録音要求信号を生成する変調信号補正部とを備え、
前記玄関子機は前記映像信号を前記伝言録音要求信号で変調して室内親機に送信することを特徴とする請求項１に記載のテレビドアホン装置。
【請求項３】
前記伝言録音要求検出部は、前記玄関子機から変調された映像信号を入力し、前記ドロップアウト区間の発生回数をカウントするドロップアウト区間カウンタと、
前記発生回数が所定の回数に達したことにより伝言録音要求の検出を行う検出部とを備えたことを特徴とする請求項１または２に記載のテレビドアホン装置。
【請求項４】
前記室内親機は、訪問者の映像信号の記録の開始にあわせ、玄関灯を点灯させる玄関灯制御部を備えたことを特徴とする請求項１から３のいずれか１項に記載のテレビドアホン装置。
【発明の詳細な説明】
【技術分野】
【０００１】
本発明は、訪問者を撮像するカメラ及び音声を入力するマイクを有する玄関子機と、撮像した訪問者の映像表示機能及び録音、録画機能を有する室内親機を備え、前記玄関子機と室内親機との間の通話及び訪問者のモニター表示、伝言録音、録画を実現するテレビドアホン装置に関するものである。
【背景技術】
【０００２】
従来、一般家庭用のテレビドアホン装置において、ドアホン子機にカメラを備え、ドアホン親機にあっては、ドアホン子機から送信されてくる来訪者の映像の録画・再生機能と、音声の録音・再生機能を備え、留守設定時には、訪問者がドアホン子機の呼出ボタンで呼出をすると、伝言を受ける旨のメッセージを発生し、自動的に訪問者の映像を録画すると共に、伝言メッセージを録音する技術が知られている（特許文献１参照）。
【０００３】
また、インターホンシステムにおいて、ドアホン子機に呼出ボタンに加え、ドアホン親機に伝言メッセージの録音指令信号を送出する伝言スイッチを備え、訪問者が伝言スイッチを操作して、ドアホン親機がドアホン子機のマイクを通じ送られてきた伝言メッセージを録音する技術が知られている（特許文献２参照）。
【特許文献１】特開２００２−２７１７８１号公報
【特許文献２】特開平５−２７６２５７号公報
【発明の開示】
【発明が解決しようとする課題】
【０００４】
しかしながら、上記特許文献１に記載の技術では、テレビドアホン装置が外出モード設定されている場合、訪問者が呼出ボタンを押下すると、訪問者の意志に関わらず、自動的にドアホン子機のマイクから入力された音声が伝言メッセージとして録音される。このため、訪問者が伝言を残す必要がない時も、録音動作状態となるため、録音用のメモリ容量を浪費することになり、本当に必要な訪問者の伝言メッセージの録音が必要なときに、メモリが満杯で、伝言メッセージの録音ができないという課題がある。
【０００５】
また、上記特許文献２に記載の技術では、ドアホン子機に呼出ボタンに加えて、別途、伝言スイッチを備えており、装置のコストアップとなるとともに、訪問者が呼出ボタンと伝言スイッチの区別がつかず、誤った操作によって、的確に伝言メッセージを録音できなくなることがおこりうるという課題がある。
【０００６】
そこで、本発明はこれら従来の課題を解決するものであり、玄関子機に特別なボタンを備えることなく、訪問者が伝言録音の誤操作することなく、かつ、不要な録音で録音メモリを浪費してしまうことなく、訪問者が伝言を残す必要がある場合のみ、伝言メッセージを録音若しくは録画することができるテレビドアホン装置を提供することを目的とする。
【課題を解決するための手段】
【０００７】
上記目的を達成するために、本発明は、玄関子機と室内親機との間で通信線を介して通話と映像モニター表示が可能なテレビドアホン装置であって、前記室内親機が利用者による「留守設定」されている場合に、前記室内親機は、訪問者による前記玄関子機の呼出ボタンの押下を検知して「呼出ボタンの再押下」のメッセージを訪問者に通知し、前記玄関子機は、訪問者の前記呼出ボタンの再押下動作に基づいて、伝言録音要求信号生成部では、伝言録音要求信号を生成して、カメラの映像信号とマイクからの音声信号と共に室内親機に送信し、前記室内親機は、前記伝言録音要求信号を伝言録音要求検出部で検出して、制御部で、音声録音部、若くは、映像録画部を動作させ、前記玄関子機から送られてきた映像信号もしくは音声信号を記録することとした。
【発明の効果】
【０００８】
本発明によれば、室内親機は、訪問者による前記玄関子機の呼出ボタンの押下を検知して「呼出ボタンの再押下」のメッセージを訪問者に通知し、前記玄関子機は、訪問者の前記呼出ボタンの再押下動作に基づいて、伝言録音要求信号を生成して、カメラの映像信号とマイクからの音声信号と共に室内親機に送信し、前記室内親機は、前記伝言録音要求信号を伝言録音要求検出部で検出して、制御部で、音声録音部、若くは、映像録画部を動作させ、前記玄関子機から送られてきた映像信号もしくは音声信号を記録する構成により、訪問者が伝言を残したいときだけ、呼出ボタンの操作で、伝言を録音することができるので、玄関子機に特別なボタンを備えることなく、伝言録音の誤操作もなく、かつ、不要な録音で録音メモリを浪費してしまうことを防止するので、訪問者が伝言を残す必要がある場合のみ、伝言メッセージを録音若しくは録画することができるという効果を奏する。
【発明を実施するための最良の形態】
【０００９】
本願の請求項１に記載の発明は、玄関子機と室内親機との間で通信線を介して通話と映像モニター表示が可能なテレビドアホン装置であって、前記室内親機が利用者による「留守設定」されている場合に、前記室内親機は、訪問者による前記玄関子機の呼出ボタンの押下を検知して「呼出ボタンの再押下」のメッセージを訪問者に通知し、前記玄関子機は、訪問者の前記呼出ボタンの再押下動作に基づいて、伝言録音要求信号生成部では、伝言録音要求信号を生成して、カメラの映像信号とマイクからの音声信号と共に室内親機に送信し、前記室内親機は、前記伝言録音要求信号を伝言録音要求検出部で検出して、制御部で、音声録音部、若くは、映像録画部を動作させ、前記玄関子機から送られてきた映像信号もしくは音声信号を記録する。
【００１０】
これにより、訪問者が伝言を残したいときだけ、呼出ボタンの操作で、伝言を録音することができるので、玄関子機に特別なボタンを備えることなく、伝言録音の誤操作もなく、かつ、不要な録音で録音メモリを浪費してしまうことを防止するので、訪問者が伝言を残す必要がある場合のみ、伝言メッセージを録音若しくは録画することができるという効果を奏する。
【００１１】
また、本願の請求項２に記載の発明は、上記請求項１の構成に加えて、前記伝言録音要求信号生成部は、所定の周波数の変調信号を発生させる変調信号発生部と、前記カメラからの映像信号のブランキング区間を検出するブランキング区間検出部と、前記変調信号を前記ブランキング区間内で、所定時間幅をドロップアウト区間として、０［Ｖ］の直流信号とする補正により前記伝言録音要求信号を生成する変調信号補正部とを備え、前記玄関子機は前記映像信号を前記伝言録音要求信号で変調して室内親機に送信する。
【００１２】
これにより、上記請求項１の効果に加えて、玄関子機では呼出ボタン部が再押下されたときに伝言録音要求信号を、映像の変調信号に埋め込むという簡易な手段で実現し、また、室内親機でも伝言録音要求信号が簡易に検出できるので、設計に必要な部品の削減という経済的な効果を奏する。
【００１３】
また、本願の請求項３に記載の発明は、上記請求項１または２の構成に加え、前記伝言録音要求検出部は、前記玄関子機から変調された映像信号を入力し、前記ドロップアウト区間の発生回数をカウントするドロップアウト区間カウンタと、前記発生回数が所定の回数に達したことにより伝言録音要求の検出を行う検出部とを備える。
【００１４】
これにより、上記請求項１または２の効果に加え、前記変調された映像信号が所定時間幅、０［Ｖ］の直流信号となる区間が複数回検出されることで呼出ボタンが再押下されたと検出するので、外部ノイズによる誤動作を抑制するという効果を奏する。
【００１５】
また、本願の請求項４に記載の発明は、上記請求項１から３いずれか１項に記載の構成に加え、前記室内親機は、訪問者の映像信号の記録の開始にあわせ、玄関灯を点灯させる玄関灯制御部を備える。
【００１６】
これにより、上記請求項１から３いずれか１項に記載の効果に加えて、撮像の際に被写体である訪問者が玄関灯で照らされ、より鮮明な映像の記録ができるという効果を奏する。
【実施例】
【００１７】
以下、本発明の実施例におけるテレビドアホン装置について、図面を参照しながら説明する。
【００１８】
図１は、本発明の実施例におけるテレビドアホン装置１００のブロック図である。
【００１９】
テレビドアホン装置１００は、玄関の外に配置されて訪問者を撮像し、音声を入出力する玄関子機１０１と、室内に配置され玄関子機１０１にて撮像した訪問者を映像表示し、音声を入出力する室内親機１０２を備え、玄関子機１０１と室内親機１０２が２線からなる通信線１１５で接続され、訪問者と室内利用者との間の通話及び訪問者の映像モニター機能を実現している。
【００２０】
玄関子機１０１は、通信線１１５を介して室内親機１０２と信号の送受信を行う信号送受信部１１６と、訪問者が呼出をするための呼出ボタン１０５と、訪問者の音声を入力するマイク１１３と、室内親機１０２からの音声信号を出力するスピーカ１０４と、訪問者の映像を撮像し映像信号を出力するカメラ１２６と、訪問者を撮像した映像信号及び訪問者の発した音声信号を変調、多重化する変調部１０９と、室内親機１０２から受信した音声信号を復調する復調部１０８と、子機１０１全体の制御を行う子機側制御部１０７を備えて、室内の利用者と通話及び訪問者の映像を撮像し室内親機１０２に送信する玄関子機としての基本機能を実現している。
【００２１】
また、玄関子機１０１には、変調信号発生部１３０と、変調信号補正部１３１と、ブランキング区間検出部１３２から構成される伝言録音要求信号生成分部１０６を備えている。伝言録音要求信号生成部１０６は、訪問者が、一度、呼出ボタン１０５が押下し、音声信号、映像信号が室内親機１０２との間で送受信されている状態で、再度、呼出ボタン１０５を押下することによって、伝言録音要求信号を生成して室内親機１０２へ供給する機能を実現している。
【００２２】
室内親機１０２は、通信線１１５を介して玄関子機１０１と信号の送受信を行う信号送受信部１２１と、訪問者の呼出ボタン１０５の押下を検知する呼出検知部１１４と、訪問者の音声を出力するスピーカ１１７と、室内の利用者の音声を入力するマイク１１８と、玄関子機１０１のカメラで撮像された訪問者の映像をモニター表示する映像表示部１１２と、呼出を検知すると計時を開始し、室内からの応答がなければ所定時間でタイムアウトして待機状態にもどるための呼出タイマー機能及び伝言録音、録画時間の計時を行う録音・録画タイマー機能を有する計時部１０３と、玄関子機１０１から受信した映像信号成分及び音声信号成分を分離する分離部１３３と、分離された映像信号成分及び音声信号成分の復調を行う復調部１２３と、テレビドアホン装置１００の機能設定を行う操作部１１１と、室内の利用者の音声および応答メッセージの信号を変調する変調部１２５と、室内親機全体の制御を行う親機側制御部１２４とを備えて、玄関の外の訪問者と通話し訪問者の映像を映像モニターする室内親機としての基本機能を実現している。
【００２３】
また、室内親機１０２には、分離部１３３から変調された映像信号を入力して伝言録音要求の検出をする伝言録音要求検出部１２９と、訪問者の伝言を録音・再生する録音部１２２と、訪問者の映像を記録・再生する録画部１１０と、呼出に対して応答メッセージや応答音を生成する応答音生成部１１９と、訪問者の映像の記録にあわせ、玄関灯を点灯させる玄関灯制御部１２７を備え、訪問者が呼出ボタンを再押下することによる訪問者の伝言録音及び訪問者の映像の記録を実現する。なお、伝言録音要求検出部１２９では、伝言録音要求信号の検出のため、ドロップアウト区間カウンタ１２０と、検出部１２８を備える。
【００２４】
なお、図中での記載は省略しているが、室内親機１０２は、商用電源を使用し、室内親機１０２を動作させるとともに、通信線１１５に直流電圧を重畳し、玄関子機１０１に給電している。また、玄関子機１０１、室内親機１０２それぞれの子機側制御部１０７、親機側制御部１２４の内部のソフトウェアが各構成部の動作を制御しているため、説明の便宜上、信号の経路は子機側制御部１０７または親機側制御部１２４を経由した構成で表している。
【００２５】
次に、伝言録音要求信号生成部１０６の内部の構成と機能について図２を参照して説明する。図２は伝言録音要求信号の生成過程を示す波形図である。訪問者によって、一度、呼出ボタン１０５が押下されると、玄関子機１０１と室内親機１０２との間では音声信号と映像信号が送受信されている状態となっている。訪問者が、室内親機１０２からの応答メッセージに従い、再度、呼出ボタン１０５を押下すると、ブランキング区間検出部１３２は、呼出ボタン１０５からの呼出ボタン再押下信号（図２（ａ））、カメラ１２６からの映像信号（図２（ｂ））を入力し、映像信号の垂直ブランキング区間内で２０［ｕｓｅｃ］の時間幅、ＬＯレベル（ドロップアウト区間）で、それ以外はＨＩレベルからなるドロップアウト信号（図２（ｃ））を生成する。また、変調信号発生部１３０は、一定の周波数のＦＭ変調信号（図２（ｄ））を発生する。変調信号補正部１３１は、変調信号発生部１３０からＦＭ変調信号を入力し、ブランキング区間検出部１３２からドロップアウト信号を入力し、ＦＭ変調信号をドロップアウト区間で、０［Ｖ］の直流信号とする補正処理を行い、伝言録音要求信号（図２（ｅ））を生成する。
【００２６】
以上の構成と機能によって、伝言録音要求信号生成部１０６は、訪問者の呼出ボタン１０５の再押下により伝言録音要求を伝言録音要求信号として生成する。
【００２７】
次に、テレビドアホン装置１００全体の動作を説明する。
【００２８】
テレビドアホン装置１００の使用に際しては、利用者はあらかじめ、外出あるいは居留守の事情により、訪問者の呼出に対して応答メッセージを送出し伝言を録音する外出モードを操作部１１１により親機側制御部１２４に設定しておく。また、計時部１０３の録音・録画タイマーの録音・録画時間を操作部１１１により、設定しておく。さらに、利用者の便宜と録画の記録媒体の容量に応じて、映像の記録フォーマットを、静止画、準動画（連続する静止画）、または動画（いわゆるビデオ映像）から操作部１１１により、選択し親機側制御部１２４に設定しておく。
【００２９】
上述の設定による、外出モードでのテレビドアホン装置１００の動作を以下に説明する。訪問者が、一度目の呼出ボタン１０５の押下により呼出をすると、玄関子機１０１は通信線１１５をショートする。室内親機１０２の信号呼出検知部１１４はショートによる電圧レベルの変化により、呼出を検知する。呼出検知部１１４で呼出が検知されると、親機側制御部１２４は応答音生成部１１９を制御して「ピンポーン」等の呼出音を生成し、スピーカ１１７から放音し、計時部１０３では、呼出タイマーが計時を開始する（所定時間でタイムアウトするとテレビドアホン１００は待機状態に戻る）。
【００３０】
マイク１１３から入力された訪問者の音声信号とカメラ１２６で撮像された映像信号は変調部１０９に入力される。変調部１０９では、音声信号はそのままベースバンド信号として変調され、映像信号はＦＭ変調され、音声信号成分と映像信号成分は多重化されて、玄関子機１０２の出力信号として信号送受信部１１６から、室内親機１０２に送信される。
【００３１】
室内親機１０２では、玄関子機１０１の出力信号は信号送受信部１２１で受信され、分離部１３３に入力される。分離部１３３では、ハイパスフィルタ及びローパスフィルタで映像信号成分と音声信号成分が分離され、復調部１３２では、映像信号成分はＦＭ変調信号で復調されて、映像表示部１１２に表示される。また、復調部１３２では、音声信号成分はベースバンド信号として復調され、スピーカ１１７から出力される。
【００３２】
呼出の検知に応じて、応答音生成部１１９ではＲＯＭ（図示省略）に格納された「ただいま出られません。御用の方はもう一度呼出ボタンを押し、発信音の後にメッセージをどうぞ」等の応答メッセージが読み出され、変調部１２５でベースバンド信号として変調され、室内親機１０２の出力信号として信号送受信部１２１から玄関子機１０１に送信される。
【００３３】
玄関子機１０１では、室内親機１０２の出力信号は信号送受信部１１６で受信され、復調部１０８に入力される。復調部１０８では、応答メッセージはベースバンド信号として音声信号に復調され、スピーカ１０４に出力される。
【００３４】
訪問者は、伝言を録音したい場合、応答メッセージに従い、呼出ボタン１０５を再押下する。一度、呼出ボタン１０５が押下されて、音声信号、映像信号が室内親機１０２との間で送受信されている状態（前述の呼出タイマーが動作中）であるため、信号送受信部１１６には通知されず、最初の呼出時のように通信線１１５をショートはしない。
【００３５】
変調部１０９では、マイク１１３から入力されている音声信号はそのままベースバンド信号として変調され、カメラ１２６で撮像された映像信号は伝言録音要求信号生成部１０６で生成された伝言録音要求信号で変調され、変調された音声信号と映像信号は多重化されて、玄関子機１０２の出力信号として信号送受信部１１６から、室内親機１０２に送信される。
【００３６】
室内親機１０２では、玄関子機１０１の出力信号は信号送受信部１２１で受信され、分離部１３３に入力される。分離部１３３では、ハイパスフィルタ及びローパスフィルタで映像信号成分と音声信号成分が分離され、復調部１２３では映像信号成分はＦＭ変調信号で復調される。伝言録音要求信号検出部１２９は、分離部１３３から映像信号成分を入力し、伝言録音要求の検出を行う。
【００３７】
次に、伝言録音要求検出部１２９の構成及び動作の詳細について説明する。伝言録音要求検出部１２９は、内部に、伝言録音要求の検出のためのドロップアウト区間カウンタ１２０と検出部１２８を備える。
【００３８】
ドロップアウト区間カウンタ１２０は、分離部１３３から復調前の映像信号成分を入力し、前記変調された映像信号から、２０［ｕｓｅｃ］の時間幅、０［Ｖ］からなるドロップアウト区間を検出し、ドロップアウトの回数をカウントして検出部１２８に出力する。検出部１２８は、ドロップアウトの回数が所定の回数に達した場合、呼出ボタン１０５が再押下された（すなわち訪問者から伝言録音要求があった）と判断して検出信号を、親機側制御部１２４に出力する。
【００３９】
ここで、伝言録音要求検出部１２９の動作についてフロー図を参照して説明を補足する。図３は、伝言録音要求検出部１２９の動作を示すフロー図である。
【００４０】
分離部１３３で音声信号成分と映像信号成分がローパスフィルタとハイパスフィルタによって分離され、映像信号成分は、伝言録音要求信号検出部１２９に入力される（ステップＳ３０１）。
【００４１】
ドロップアウト区間カウンタ１２０は、カウント値を初期化してＮ＝０とする（ステップＳ３０２）。
【００４２】
映像信号成分から２０［ｕｓｅｃ］の時間幅の０［Ｖ］区間を検出する（ステップＳ３０３）。
【００４３】
０［Ｖ］区間が検知されなければステップＳ３０３に戻り、０［Ｖ］区間を検出したらステップＳ３０５に進む（ステップＳ３０４）。
【００４４】
ドロップアウト区間カウンタをインクリメントする（Ｎ＝Ｎ＋１）（ステップＳ３０５）。
【００４５】
Ｎ＝６に達したか判定し（ステップＳ３０６）、達していなければステップＳ３０３に戻る。Ｎ＝６に達していたらステップＳ３０７に進む。
【００４６】
ドロップアウト区間カウンタ１２０は検出部１２８にドロップアウト区間のカウントが完了したことを通知する。検出部１２８は、伝言録音要求があったことを検出し、親機側制御部１２４に検出信号を出力する（ステップＳ３０７）。
【００４７】
以上の伝言録音要求検出部１２９の動作により、室内親機１０２で伝言録音要求が検出されると、親機側制御部１２２の制御により応答音生成部１１９は、「ピー」音を生成し、応答メッセージと同じ信号経路で玄関子機１０１のスピーカ１０４から出力する。訪問者は「ピー」音を聞いて、伝言を話し始める。
【００４８】
同時に、録音部１２２は、録音を開始し、録画部１１０は映像の記録を開始し、計時部１０３は録音・録画タイマーを開始する。
【００４９】
玄関灯制御部１２７は、訪問者の録画を鮮明にするため、光源として玄関灯を点灯させる。訪問者の伝言の録音が終わり、計時部１０３は、録音・録画タイマーがタイムアウトすると、親機側制御部１２４に録音・録画タイマーの終了を通知する。
【００５０】
応答音生成部１１９は、再度「ピー」音を生成し、応答メッセージと同じ信号経路で玄関子機１０１のスピーカ１０４から出力する。訪問者は「ピー」音を聞いて、伝言入力時間が終了したことを把握する。
【００５１】
録音部１２２は録音を停止し、録画部１１０は録画を停止し、玄関灯制御部１２７は、玄関灯を消灯する。
【００５２】
以上のテレビドアホン装置１００の動作について、フロー図を参照して説明を補足する。
【００５３】
図４は、テレビドアホン装置１００の動作を示すフロー図である。
【００５４】
テレビドアホン装置１００は、訪問者の呼出ボタン１０５の押下による呼出が、呼出検知部１１４で検知されるまで待機する（ステップＳ４０１）。呼出が検知されると、「ピンポーン」等の呼出音がスピーカ１１７から放音される。計時部１０３は、呼出が検知されると、呼出タイマーで計時を開始する（所定時間でタイムアウトするとテレビドアホン１００は待機状態に戻る）。
【００５５】
カメラ１２６で撮像された訪問者の映像信号とマイク１１３から入力された訪問者の音声信号は、変調部１０９、信号送受信部１１６を経て、室内親機１０２に送信される。室内親機１０２では、信号送受信部１２１、分離部１３３、復調部１２３を経て、訪問者の映像は映像表示部１１２で表示され、訪問者の音声はスピーカ１１７から出力される（ステップＳ４０２）。
【００５６】
応答音生成部１１９では、ＲＯＭに格納された「ただいま出られません。御用の方はもう一度呼出ボタンを押し、発信音の後にメッセージをどうぞ」等の応答メッセージを読み出し、変調部１２５、信号送受信部１２１を経て玄関子機１０１に出力する。玄関子機１０１では、信号送受信部１１６、復調部１０８を経てスピーカ１０４から前記応答メッセージを出力する（ステップＳ４０３）。
【００５７】
訪問者は、伝言を録音したい場合、応答メッセージに従い、呼出ボタン１０５を再押下する（ステップＳ４０４）。呼出ボタンが再押下されなければ、呼出タイマーが終了し、待機状態のステップＳ４０１に戻る。
【００５８】
呼出ボタン１０５が再押下された時、伝言録音要求信号生成部１０６は、伝言録音要求信号を生成する（ステップＳ４０５）。
【００５９】
変調部１０９は、伝言録音要求信号で映像信号を変調し、音声信号をベースバンド信号として多重化し、室内親機１０２に送信する（ステップＳ４０６）。
【００６０】
室内親機１０２の分離部１３３では、ハイパスフィルタ及びローパスフィルタで映像信号成分と音声信号成分が分離され、映像信号成分は伝言録音要求検出部１２９に入力される。伝言録音要求検出部１２９は、ドロップアウト区間カウンタ１２０がドロップアウト区間をカウントし、伝言録音要求を検出する（ステップＳ４０７）。
【００６１】
応答音生成部１１９は、「ピー」音を生成し、応答メッセージと同じ信号経路で玄関子機１０１のスピーカ１０４から、「ピー」音を出力し、訪問者に伝言入力を促す（ステップＳ４０８）。
【００６２】
録音部１２２は、録音を開始し、録画部１１０は、録画を開始し、計時部１０３は、録音・録画タイマーを開始する。訪問者は、伝言を話し始める。玄関灯制御部１２７は、訪問者の映像を鮮明にするため、光源として玄関灯を点灯させる（ステップＳ４０９）。
【００６３】
録音・録画タイマー終了まで、録音、録画を継続する（ステップＳ４１０）。
【００６４】
訪問者の伝言の録音が終了し、録音・録画タイマーが終了すると、応答音生成部１１９は、「ピー」音を生成し、玄関子機１０１のスピーカ１０４から、「ピー」音を出力し、訪問者に伝言入力時間の終了を通知する（ステップＳ４１１）。
【００６５】
録音部１２２は、録音を停止し、録画部１１０は、録画を停止し、玄関灯制御部１２７は、玄関灯を消灯させ（ステップＳ４１２）、テレビドアホン装置１００は待機状態であるステップＳ４０１に戻る。
【００６６】
以上の通り、本発明のテレビドアホン装置は、玄関子機１０１では、呼出ボタンが再押下されたとき伝言録音要求信号を生成する伝言録音要求信号生成部１０６を備え、室内親機１０２は、玄関子機１０１からの伝言録音要求を検出する伝言録音要求検出部１２９を備え、訪問者が呼出ボタン１０５を押下すると、応答メッセージが出力され、訪問者が伝言を残したいときは再度、前記呼出ボタンを押下することで、伝言の録音を開始する。すなわち、訪問者が伝言を残したいときだけ、呼出ボタンの操作で、伝言を録音することができるので、玄関子機に特別なボタンを備えることなく、伝言録音の誤操作もなく、不要な録音で録音メモリを浪費してしまうことを防止することができ、操作性の向上と経済的な効果を生み出すことができる。
【産業上の利用可能性】
【００６７】
本発明のテレビドアホン装置は、訪問者が伝言を残す必要がある場合のみ、伝言を録音若しくは録画することができるため、例えば一戸建て住宅やマンション等の集合住宅等に配置したドアホン装置に有用である。
【図面の簡単な説明】
【００６８】
【図１】本発明の実施例のテレビドアホン装置のブロック図
【図２】本実施例の伝言録音要求信号の生成過程を示す波形図
【図３】伝言録音要求検出部の動作を示すフロー図
【図４】テレビドアホン装置の動作を示すフロー図
【符号の説明】
【００６９】
１００    テレビドアホン装置
１０１    玄関子機
１０２    室内親機
１０４    スピーカ
１０５    呼出ボタン
１０６    伝言録音要求信号生成部
１１０    録画部
１１２    映像表示部
１１３    マイク
１１４    呼出検知部
１１７    スピーカ
１１８    マイク
１１９    応答音生成部
１２０    ドロップアウト区間カウンタ
１２２    録音部
１２６    カメラ
１２９    伝言録音要求検出部
１３０    変調信号発生部
１３１    変調信号補正部
１３２    ブランキング区間検出部
【図１】
2007166477.tif 000003
【図２】
2007166477.tif 000004
【図３】
2007166477.tif 000005
【図４】
2007166477.tif 000006